(57)【要約】【課題】    例えば色々な種類の筆記具を使い分けて作業をしている際に蓋体の挿脱を頻繁に行うことが多いが、蓋体を筆記具本体に摺動を伴って挿脱方向に挿脱するような構造の場合、蓋体から手が滑ってしまうほど摺動抵抗の大きなものが多く、簡便に挿脱できない。【解決手段】  筆記具本体（１）一端部（３）の外周、及び蓋体（２）の内周にそれぞれ螺旋形状（７）及び（１７）を備える。【選択図】          図１
2007261275.tif 000002
【特許請求の範囲】
【請求項１】
筆記具本体と、前記筆記具本体の一端部が挿脱自在である蓋体と、を具備する筆記具であって、
前記筆記具本体は、一端部の先端にペン先と、一端部の外周に軸線を中心とする第１螺旋形状と、を備え、
前記蓋体は、前記筆記具本体の一端部が挿入される内周に前記第１螺旋形状に螺合可能である第２螺旋形状を備え、
前記第１螺旋形状及び前記第２螺旋形状が螺合することで前記蓋体への前記筆記具本体の一端部の挿入が完了した蓋閉め状態を有し、
前記第１螺旋形状及び前記第２螺旋形状はいずれも一巻き以上の螺旋であり、且つ前記蓋閉め状態において一巻き以上の螺合部分が確保され、
前記軸線を含む平面による前記蓋閉め状態の断面図において、前記螺合部分の前記第１螺旋形状側には前記ペン先から遠い方から順に第１谷、第２山、第３谷、及び第４山が並んでおり、前記第２螺旋形状側には前記第１谷に嵌る第１山、前記第２山が嵌る第２谷、前記第３谷に嵌る第３山、及び前記第４山が嵌る第４谷が並んでおり、前記第１山の径よりも前記第３山の径の方が小さい、
筆記具。
【請求項２】
前記筆記具本体は棒状であり、前記筆記具本体の長手方向に沿うように前記軸線が配置されている、
請求項１に記載の筆記具。
【請求項３】
前記蓋閉め状態の断面図において、前記第２山の径よりも前記第４山の径の方が小さい、
請求項１から請求項２のいずれかに記載の筆記具。
【請求項４】
前記蓋閉め状態の断面図において、前記第１山の径よりも前記第４山の径の方が小さい、
請求項１から請求項３のいずれかに記載の筆記具。
【発明の詳細な説明】
【技術分野】
【０００１】
本発明は、筆記具に関する。
【背景技術】
【０００２】
棒状の筆記具本体の端部が挿脱される蓋体においては、特許文献１のように筆記具本体の端部の外周、及び蓋体の端部の内周における摺動を伴う嵌合によって、ペン先を密閉してインクの揮発を防ぐと同時に、移動時の衝撃等による蓋体の離脱を防ぐ、フェルトペンのアイデアが知られている。
【０００３】
【特許文献１】特開２００２−２３４２９１号公報
【発明の開示】
【発明が解決しようとする課題】
【０００４】
例えば色々な種類の筆記具を使い分けて作業をしている際に蓋体の挿脱を頻繁に行うことが多いが、蓋体を筆記具本体に摺動を伴って挿脱方向に挿脱するような構造の場合、蓋体から手が滑ってしまうほど摺動抵抗の大きなものが多く、簡便に挿脱できない。
また、筆記具本体の外周、及び蓋体の内周にそれぞれ螺旋形状を備え螺合可能なものの場合、螺合を強固に保つ為には螺合部分の巻き数を稼ぐ、又は径を大きくする方法が考えられるが、前者では蓋体の挿脱に時間がかかってしまい、後者では筆記時のペン先の視認性、又はグリップ部の握り心地が悪くなってしまうことが考えられる。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係る筆記具は、例えば図１、２及び３、又は図１及び４のように、
筆記具本体１と、筆記具本体１の一端部３が挿脱自在である蓋体２と、を具備する筆記具であって、
筆記具本体１は、一端部３の先端にペン先４と、一端部３の外周に軸線５を中心とする螺旋形状７と、を備え、
蓋体２は、筆記具本体１の一端部３が挿入される内周に螺旋形状７に螺合可能である螺旋形状１７を備え、
螺旋形状７及び１７が螺合することで蓋体２への筆記具本体１の一端部３の挿入が完了した例えば図２及び３、又は図４のような蓋閉め状態を有し、
螺旋形状７及び１７はいずれも一巻き以上の螺旋であり、且つ前記蓋閉め状態において一巻き以上の螺合部分が確保され、
例えば図３のような軸線５を含む平面による前記蓋閉め状態の断面図において、前記螺合部分の螺旋形状７側にはペン先４から遠い方から順に谷３１、山３２、谷３３、及び山３４が並んでおり、螺旋形状１７側には谷３１に嵌る山２１、山３２が嵌る谷２２、谷３３に嵌る山２３、及び山３４が嵌る谷２４が並んでおり、山２１の径４１よりも山２３の径４５の方が小さい、筆記具である。
【０００７】
また、筆記具とは鉛筆、芯を送り出すタイプの鉛筆、フェルトペン、万年筆、ボールペン、修正ペン、芯を送り出すタイプの消しゴム、等を表す。
【０００８】
発明２に係る筆記具は、発明１の筆記具において、例えば図１、２及び３、又は図１及び４のように、
筆記具本体１は棒状であり、筆記具本体１の長手方向に沿うように軸線５が配置されている、筆記具である。
【０００９】
発明３に係る筆記具は、発明１から２のいずれかの筆記具において、
例えば図３のような前記蓋閉め状態の断面図において、山３２の径４４よりも山３４の径４８の方が小さい、筆記具である。
【００１０】
発明４に係る筆記具は、発明１から３のいずれかの筆記具において、
例えば図３のような前記蓋閉め状態の断面図において、山２１の径４１よりも山３４の径４８の方が小さい、筆記具である。
【発明の効果】
【００１１】
以上のように本発明では、筆記具本体１及び蓋体２が螺合を伴って挿脱されるので、筆記具本体１及び蓋体２の相対回転力を挿脱方向の力に変換可能であり、比較的小さな操作力で挿脱可能な設計が容易となり、且つ移動時の衝撃等による蓋体２の離脱を防ぐことが容易となるのに、グリップ部の握り心地を確保しながら螺合を強固に保つ為の設計が容易となる。
【００１２】
また、発明３では、本発明の効果に加えて、筆記時のペン先４の視認性を確保することが容易であり、且つ呼び径が一定のネジによる螺合の場合よりも巻き数が同じであれば挿脱に必要な回転数が少なく済むので、蓋体２を簡便に挿脱可能となる。
【００１３】
また、発明４では、本発明の効果に加えて、挿脱に必要な回転数がおよそ一回転以下で済むので、蓋体２をより簡便に挿脱可能となる。
【発明を実施するための最良の形態】
【００１４】
〔第１実施形態〕
図１において、筒状の筆記具本体１の一端部３を中心に配置される軸線５を中心として先端から順にペン先４、円筒部９外周のシール部８、円錐部外周の螺旋形状７、及び円筒部１６が並んでおり、円筒部１６が筆記具本体１の円筒部１１一端部の端面１４に接続されている。
また、フェルトペンのペン先４は円筒部１１の内部に充填されたインクに接続されている。また、円筒部１１の他端部には蓋体１０が嵌め込まれており、蓋体１０を外してインクを補充することが可能である。
【００１５】
図２は蓋閉め状態の筆記具の軸線５を含む平面による蓋体２の断面図であり、筒状の蓋体２は一端部に挿入口６及び端面１３を備えており、他端部は閉じられている。蓋体２の内周には挿入口６から順に内周部１５、螺旋形状７に螺合可能な螺旋形状１７、及び内周部１２が並んでいる。
また、蓋閉め状態では、内周部１５及び円筒部１６の間には隙間が設けられており、また螺旋形状７及び１７は端面１３及び１４が当たることによって僅かなバックラッシュの有る状態で螺合しており、内周部１２にシール部８が密着嵌合している。
ここで、内周部１２及び円筒部９によってペン先４からのインクの揮発を防ぐ代わりに、内周部１５及び円筒部１６によって防ぐようにしてもよい。
【００１６】
図３は蓋閉め状態の螺旋形状７付近の軸線５を含む平面による断面図であり、ペン先４はペン芯１８に接続されている。
また、螺旋形状７の山及び谷は挿入口６側から順に、谷３１、山３２、谷３３、山３４、谷３５、山３６、谷３７、及び山３８と並んでおり、螺旋形状１７の山２１、谷２２、山２３、谷２４、山２５、谷２６、山２７、及び谷２８がそれぞれ嵌合している。
また、螺旋形状７の山の径は挿入口６から奥に向かって軸線５上を進む距離に比例して順に小さくなっており、谷の径も同様である。
また、螺旋形状１７の山の径は挿入口６から奥に向かって軸線５上を進む距離に比例して順に小さくなっており、谷の径も同様である。
【００１７】
〔第２実施形態〕
第２実施形態の筆記具本体１は第１実施形態のものと同様である。
【００１８】
図４は蓋閉め状態の筆記具の軸線５を含む平面による蓋体２の断面図であり、筒状の蓋体２は一端部に挿入口６及び端面１３を備えており、他端部は閉じられている。蓋体２の内周には挿入口６から順に内周部１５、螺旋形状７に螺合可能な螺旋形状１７、及び内周部１２が並んでいる。
また、蓋閉め状態では、内周部１５及び円筒部１６の間、及び端面１３及び１４の間には隙間が設けられており、また螺旋形状７及び１７は山形が同じでバックラッシュの無い状態で螺合しており、内周部１２にシール部８が密着嵌合している。
ここで、内周部１２及び円筒部９によってペン先４からのインクの揮発を防ぐ代わりに、内周部１５及び円筒部１６によって防ぐようにしてもよいし、螺旋形状７及び１７によって防ぐようにしてもよい。
また、螺旋形状１７の山及び谷は挿入口６側から順に、山２１、谷２２、山２３、谷２４、山２５、谷２６、山２７、及び谷２８と並んでいる。
また、螺旋形状７及び１７の各径の大小関係は第１実施形態と同様である。
【００１９】
〔その他の実施形態〕
第１又は第２実施形態において、筆記具本体１をフェルトペン以外のものにすることは当業者には容易であり、記載は省略する。
【図面の簡単な説明】
【００２０】
【図１】第１又は第２実施形態の蓋体２が離脱した状態を表す図
【図２】第１実施形態の蓋閉め状態の軸線５を含む平面による蓋体２断面図
【図３】第１実施形態の蓋閉め状態の軸線５を含む平面による螺旋形状７付近断面図
【図４】第２実施形態の蓋閉め状態の軸線５を含む平面による蓋体２断面図
【符号の説明】
【００２１】
１.                                      筆記具本体
２,１０.               蓋体
３.                                      一端部
４.                                      ペン先
５.                                      軸線
６.                                      挿入口
７,１７.               螺旋形状
８.                                      シール部
９,１１,１６.                     円筒部
１２,１５.                          内周部
１３,１４.                          端面
１８.                                  ペン芯
２１,２３,２５,２７,
３２,３４,３６,３８.         山
２２,２４,２６,２８,
３１,３３,３５,３７.         谷
４１,４２,４３,４４,
４５,４６,４７,４８.         径
【図１】
2007261275.tif 000003
【図２】
2007261275.tif 000004
【図３】
2007261275.tif 000005
【図４】
2007261275.tif 000006
【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
筆記具本体と、前記筆記具本体の一端部が挿脱自在である蓋体と、を具備する筆記具であって、
前記筆記具本体は、一端部の先端にペン先と、一端部の外周に軸線を中心とする第１螺旋形状と、を備え、
前記蓋体は、前記筆記具本体の一端部が挿入される内周に前記第１螺旋形状に螺合可能である第２螺旋形状を備え、
前記第１螺旋形状及び前記第２螺旋形状が螺合することで前記蓋体への前記筆記具本体の一端部の挿入が完了した蓋閉め状態を有し、
前記第１螺旋形状及び前記第２螺旋形状はいずれも一巻き以上の螺旋であり、且つ前記蓋閉め状態において一巻き以上の螺合部分が確保され、
前記軸線を含む平面による前記蓋閉め状態の断面図において、前記螺合部分の前記第１螺旋形状側には前記ペン先から遠い方から順に第１谷、第２山、第３谷、及び第４山が並んでおり、前記第２螺旋形状側には前記第１谷に嵌る第１山、前記第２山が嵌る第２谷、前記第３谷に嵌る第３山、及び前記第４山が嵌る第４谷が並んでおり、前記第１山の径よりも前記第３山の径の方が小さく、且つ前記第２山の径よりも前記第４山の径の方が小さく、且つ前記第１山の径よりも前記第４山の径の方が小さい、
筆記具。
【手続補正２】
【補正対象書類名】明細書
【補正対象項目名】全文
【補正方法】変更
【補正の内容】
【発明の詳細な説明】
【技術分野】
【０００１】
本発明は、筆記具に関する。
【背景技術】
【０００２】
棒状の筆記具本体の端部が挿脱される蓋体においては、特許文献１のように筆記具本体の端部の外周、及び蓋体の端部の内周における摺動を伴う嵌合によって、ペン先を密閉してインクの揮発を防ぐと同時に、移動時の衝撃等による蓋体の離脱を防ぐ、フェルトペンのアイデアが知られている。
【０００３】
【特許文献１】特開２００２−２３４２９１号公報
【発明の開示】
【発明が解決しようとする課題】
【０００４】
例えば色々な種類の筆記具を使い分けて作業をしている際に蓋体の挿脱を頻繁に行うことが多いが、蓋体を筆記具本体に摺動を伴って挿脱方向に挿脱するような構造の場合、蓋体から手が滑ってしまうほど摺動抵抗の大きなものが多く、簡便に挿脱できない。
また、筆記具本体の外周、及び蓋体の内周にそれぞれ螺旋形状を備え螺合可能なものの場合、螺合を強固に保つ為には螺合部分の巻き数を稼ぐ、又は径を大きくする方法が考えられるが、前者では蓋体の挿脱に時間がかかってしまい、後者では筆記時のペン先の視認性、又はグリップ部の握り心地が悪くなってしまうことが考えられる。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係る筆記具は、例えば図１、２及び３、又は図１及び４のように、
筆記具本体１と、筆記具本体１の一端部３が挿脱自在である蓋体２と、を具備する筆記具であって、
筆記具本体１は、一端部３の先端にペン先４と、一端部３の外周に軸線５を中心とする螺旋形状７と、を備え、
蓋体２は、筆記具本体１の一端部３が挿入される内周に螺旋形状７に螺合可能である螺旋形状１７を備え、
螺旋形状７及び１７が螺合することで蓋体２への筆記具本体１の一端部３の挿入が完了した例えば図２及び３、又は図４のような蓋閉め状態を有し、
螺旋形状７及び１７はいずれも一巻き以上の螺旋であり、且つ前記蓋閉め状態において一巻き以上の螺合部分が確保され、
例えば図３のような軸線５を含む平面による前記蓋閉め状態の断面図において、前記螺合部分の螺旋形状７側にはペン先４から遠い方から順に谷３１、山３２、谷３３、及び山３４が並んでおり、螺旋形状１７側には谷３１に嵌る山２１、山３２が嵌る谷２２、谷３３に嵌る山２３、及び山３４が嵌る谷２４が並んでおり、山２１の径４１よりも山２３の径４５の方が小さく、且つ山３２の径４４よりも山３４の径４８の方が小さく、且つ山２１の径４１よりも山３４の径４８の方が小さい、筆記具である。
【０００７】
また、筆記具とは鉛筆、芯を送り出すタイプの鉛筆、フェルトペン、万年筆、ボールペン、修正ペン、芯を送り出すタイプの消しゴム、等を表す。
【発明の効果】
【０００８】
以上のように本発明では、筆記具本体１及び蓋体２が螺合を伴って挿脱されるので、筆記具本体１及び蓋体２の相対回転力を挿脱方向の力に変換可能であり、比較的小さな操作力で挿脱可能な設計が容易となり、且つ移動時の衝撃等による蓋体２の離脱を防ぐことが容易となるのに、グリップ部の握り心地を確保しながら螺合を強固に保つ為の設計が容易となり、且つ筆記時のペン先４の視認性を確保することが容易であり、且つ挿脱に必要な回転数がおよそ一回転以下で済むので、蓋体２を簡便に挿脱可能となる。
【発明を実施するための最良の形態】
【０００９】
〔第１実施形態〕
図１において、筒状の筆記具本体１の一端部３を中心に配置される軸線５を中心として先端から順にペン先４、円筒部９外周のシール部８、円錐部外周の螺旋形状７、及び円筒部１６が並んでおり、円筒部１６が筆記具本体１の円筒部１１一端部の端面１４に接続されている。
また、フェルトペンのペン先４は円筒部１１の内部に充填されたインクに接続されている。また、円筒部１１の他端部には蓋体１０が嵌め込まれており、蓋体１０を外してインクを補充することが可能である。
【００１０】
図２は蓋閉め状態の筆記具の軸線５を含む平面による蓋体２の断面図であり、筒状の蓋体２は一端部に挿入口６及び端面１３を備えており、他端部は閉じられている。蓋体２の内周には挿入口６から順に内周部１５、螺旋形状７に螺合可能な螺旋形状１７、及び内周部１２が並んでいる。
また、蓋閉め状態では、内周部１５及び円筒部１６の間には隙間が設けられており、また螺旋形状７及び１７は端面１３及び１４が当たることによって僅かなバックラッシュの有る状態で螺合しており、内周部１２にシール部８が密着嵌合している。
ここで、内周部１２及び円筒部９によってペン先４からのインクの揮発を防ぐ代わりに、内周部１５及び円筒部１６によって防ぐようにしてもよい。
【００１１】
図３は蓋閉め状態の螺旋形状７付近の軸線５を含む平面による断面図であり、ペン先４はペン芯１８に接続されている。
また、螺旋形状７の山及び谷は挿入口６側から順に、谷３１、山３２、谷３３、山３４、谷３５、山３６、谷３７、及び山３８と並んでおり、螺旋形状１７の山２１、谷２２、山２３、谷２４、山２５、谷２６、山２７、及び谷２８がそれぞれ嵌合している。
また、螺旋形状７の山の径は挿入口６から奥に向かって軸線５上を進む距離に比例して順に小さくなっており、谷の径も同様である。
また、螺旋形状１７の山の径は挿入口６から奥に向かって軸線５上を進む距離に比例して順に小さくなっており、谷の径も同様である。
【００１２】
〔第２実施形態〕
第２実施形態の筆記具本体１は第１実施形態のものと同様である。
【００１３】
図４は蓋閉め状態の筆記具の軸線５を含む平面による蓋体２の断面図であり、筒状の蓋体２は一端部に挿入口６及び端面１３を備えており、他端部は閉じられている。蓋体２の内周には挿入口６から順に内周部１５、螺旋形状７に螺合可能な螺旋形状１７、及び内周部１２が並んでいる。
また、蓋閉め状態では、内周部１５及び円筒部１６の間、及び端面１３及び１４の間には隙間が設けられており、また螺旋形状７及び１７は山形が同じでバックラッシュの無い状態で螺合しており、内周部１２にシール部８が密着嵌合している。
ここで、内周部１２及び円筒部９によってペン先４からのインクの揮発を防ぐ代わりに、内周部１５及び円筒部１６によって防ぐようにしてもよいし、螺旋形状７及び１７によって防ぐようにしてもよい。
また、螺旋形状１７の山及び谷は挿入口６側から順に、山２１、谷２２、山２３、谷２４、山２５、谷２６、山２７、及び谷２８と並んでいる。
また、螺旋形状７及び１７の各径の大小関係は第１実施形態と同様である。
【００１４】
〔その他の実施形態〕
第１又は第２実施形態において、筆記具本体１をフェルトペン以外のものにすることは当業者には容易であり、記載は省略する。
【図面の簡単な説明】
【００１５】
【図１】第１又は第２実施形態の蓋体２が離脱した状態を表す図
【図２】第１実施形態の蓋閉め状態の軸線５を含む平面による蓋体２断面図
【図３】第１実施形態の蓋閉め状態の軸線５を含む平面による螺旋形状７付近断面図
【図４】第２実施形態の蓋閉め状態の軸線５を含む平面による蓋体２断面図
【符号の説明】
【００１６】
１.                                      筆記具本体
２,１０.               蓋体
３.                                      一端部
４.                                      ペン先
５.                                      軸線
６.                                      挿入口
７,１７.               螺旋形状
８.                                      シール部
９,１１,１６.                     円筒部
１２,１５.                          内周部
１３,１４.                          端面
１８.                                  ペン芯
２１,２３,２５,２７,
３２,３４,３６,３８.         山
２２,２４,２６,２８,
３１,３３,３５,３７.         谷
４１,４２,４３,４４,
４５,４６,４７,４８.         径